【事件の表示】
　特願２００８−５０８０９４「血圧データを管理、記録及び／又は評価するシステム及び方法」拒絶査定不服審判事件〔平成１８年１１月　２日国際公開、ＷＯ２００６／１１４１５６、平成２０年１１月１３日国内公表、特表２００８−５３９４８１〕について、次のとおり審決する。
【結　論】
　本件審判の請求は、成り立たない。
【理　由】
　  
第１　手続の経緯 
　  
　本願は、２００６年３月１０日（パリ条約による優先権主張　外国庁受理　２００５年４月２８日　ドイツ）を国際出願日とする出願であって、平成２２年１０月１４日付けの拒絶理由通知に対して平成２３年１月１８日付けで手続補正がなされたが、同年３月８日付けで拒絶査定がなされ、これに対し、同年７月２２日付けで拒絶査定不服審判が請求されるとともに手続補正がなされ、平成２３年１２月２２日付けの審尋に対し、平成２４年６月２７日付けで回答書が提出されたものである。
　
　
第２　本願発明　
　  
１　本願発明
　
　本願の請求項１ないし１５に係る発明は、平成２３年７月２２日付け手続補正により補正された特許請求の範囲の請求項１ないし１５に記載された事項により特定されるとおりのものと認められるところ、その請求項１に係る発明（以下「本願発明」という。）は次のとおりである。 
　
「血圧計を用いて取得した、複数の患者についての血圧データを処理するためのシステムであって、
　各患者の血圧データが別々に記憶される中央データサーバと、
　当該中央データサーバに設けられ、各患者の血圧データのための個別記憶領域と、
　当該個別記憶領域にデータを入力するとともに、当該個別記憶領域からデータを読み出すネットワーク接続と、
　当該個別記憶領域に対応し、患者の血圧データを取得する血圧計のための固有のデバイス識別コードを有し、アクセスが試みられた場合に端末から転送されるアクセスコードと、当該個別記憶領域に対応した固有のアクセスコードとを比較することにより、当該記憶領域へのアクセスを制御することのできるアクセス制御装置と、
　前記個別記憶領域に記憶された血圧データセットを評価することのできる評価ユニットと、
　前記個別記憶領域に対応する料金記憶装置と、
　当該評価ユニットにアクセスが試みられた場合、及び、当該評価ユニットにより評価が準備された場合のうち少なくとも１つの場合に、前記料金記憶装置の残高を減少させる料金課金装置とを備えることを特徴とするシステム。」
　
　
２　引用例、周知例及びその記載事項 
　  
（１）原査定の拒絶の理由に引用された、本願の優先権主張の日前に頒布された刊行物である特開２００３−９３３５５号公報（平成１５年４月２日公開、以下「引用例１」という。）には、図面とともに以下の事項が記載されている（なお、下線は当審で付した。）。
　
「【００７４】図１は、第１の実施の形態における生体情報測定システムの構成を示す図である。
本実施の形態における生体情報測定システムは、
血圧値を測定し管理する。
　
「【００７６】
ユーザは、血圧計１を用いて血圧値の測定を行なう。血圧計１で得られた血圧値の情報は、
メモリカード２に書込まれカードリーダ４を介してＰＣ３に読込まれてもよい。
血圧計１で得られた血圧値の情報は、ＰＣ３からネットワーク５を介して、ホストコンピュータ６に送信され蓄積される。医師
は、ドクター用ＰＣ７を用いてホストコンピュータ６よりユーザの血圧値の情報を得、診断
を行なう。
　
「【０１０５】図６を参照して、
ホストコンピュータ６は、
血圧計１から送信されるユーザの血圧値情報を蓄積する記憶部６３とを含む。
　
「【０１３０】画面２０２に示されるステップにおいて
生体情報として血圧
を選択する
【０１３１】続く画面２０４において、血圧計１の接続の確認が行なわれる。このとき、
メモリカード２に書込まれた情報をＰＣ３に読込ませる場合、
メモリカード２をカードリーダ４に読取らせたか否かが確認される。
【０１３２】画面２０４に示されるステップにおいて血圧計１の接続を確認すると、測定された血圧値等の情報は、血圧計１の通信接続部１１０より通信部３２を介してＰＣ３に読込まれる。
ＰＣ３では、読込まれた情報に基づいて、送信用のファイルが作成される。
【０１３３】ＰＣ３での情報の読込みが完了すると、画面２０５において、読込みの完了を通知し、さらに読込んだ血圧値などの情報を表示する。画面２０５に示されるステップにおいて情報の送信の指示が行なわれると、
作成された送信用のファイルをネットワーク５を介してホストコンピュータ６に送信する。
【０１３４】ホストコンピュータ６への送信が完了すると、画面２０６でその旨をユーザに通知する。また、ＰＣ３は、血圧計１に記憶されている血圧値等の情報を、内部メモリ１０１１から消去する。
【０１３５】以上でＰＣ３における処理が終了する。なお図１０は、上述の送信用のファイルの具体例を示す図である。図１０に示される送信用のファイルは、ＰＣ３の制御部３１が記憶部３５に記憶されているプログラムを実行することによって作成される。
【０１３６】図１０を参照して、
送信用のファイルは、端末／カード認識番号
と、
利用者ＩＤ、およびパスワード
と、
最高血圧、最低血圧、
等の測定結果に関する情報
を含む。
【０１３７】
端末／カード認識番号は、血圧計１
を特定するための番号であり、
【０１３８】利用者ＩＤおよびパスワードもまた、利用者を特定するための情報であり、上述の端末／カード認識番号と同様に定められるものであってもよい。」
　
「【０１４６】図１１は、
ドクター用ＰＣ７における処理を示す
【０１４７】図１１を参照して、
患者のファイルの閲覧を行なう場合、
ファイルの閲覧を行なう医師は、
【０１４８】入力されたパスワードは照会される（Ｓ３０２）。パスワードの照会は、ドクター用ＰＣ７で行なわれてもよいし、ホストコンピュータ６にパスワードが送信されて制御部６１で行なわれてもよい。　
【０１４９】パスワードが照合すると（Ｓ３０２で”ＹＥＳ”）、続いて
患者のカルテ番号を入力する
入力された患者のカルテ番号はホストコンピュータ６に送信され、
【０１５０】
該当する患者のファイルがホストコンピュータ６の記憶部６３から抽出されると
当該ファイルは
ドクター用ＰＣ７に送信され、
【０１５１】
医師は
診断結果
を入力する
【０１５２】ステップＳ３０６における
入力が終了すると、新たに入力された情報がファイルに追記され、更新される
更新されたファイルは、
ホストコンピュータ６に
記憶される。
　
「【０１５５】以下に図１２を用いて、
ＰＣ３における情報の閲覧処理の説明を行なう。
【０１５６】画面２０３に示されるステップでアドヴァイスの受信を選択すると、
ユーザのＩＤおよびパスワードを入力するための画面
が表示される。ここで入力するＩＤおよびパスワードは、
送信用のファイルに記載される利用者ＩＤおよびパスワードと同様の情報である。
【０１５７】画面４０１に示されるステップで
入力されたＩＤおよびパスワードは、
ネットワーク５を介してホストコンピュータ６に送信され、ホストコンピュータ６
で照会されてもよい。ＩＤおよびパスワードが照合されると、ＩＤに基づいて、当該ユーザのファイルがホストコンピュータ６の記憶部６３より抽出される。抽出されたファイルより、
診断結果
が読出され、ＰＣ３
３４に表示される
　
　
ア　引用例１の「【００７４】‥‥‥本実施の形態における生体情報測定システムは、生体情報としての血圧値を測定し管理する。」との記載から、引用例１に記載の発明は、「血圧値を測定し管理する生体情報測定システム」に関するものである。
　
イ
ａ　引用例１の「【００７６】ユーザは、血圧計１を用いて血圧値の測定を行なう。血圧計１で得られた血圧値の情報は、‥‥‥メモリカード２に書込まれカードリーダ４を介してＰＣ３に読込まれてもよい。‥‥‥血圧計１で得られた血圧値の情報は、ＰＣ３からネットワーク５を介して、ホストコンピュータ６に送信され蓄積される。‥‥‥」との記載から、引用例１には、「血圧計１を用いて測定したユーザの血圧値の情報は、メモリカード２を介してＰＣ３に読込まれ、ＰＣ３からネットワーク５を介して、ホストコンピュータ６に蓄積される」ことが記載されているということができる。
ｂ　ここで、引用例１には、「【０１３０】‥‥‥生体情報として血圧‥‥‥を選択する‥‥‥【０１３１】‥‥‥メモリカード２に書込まれた情報をＰＣ３に読込ませる場合、‥‥‥メモリカード２をカードリーダ４に読取らせたか否かが確認される。【０１３２】‥‥‥ＰＣ３では、読込まれた情報に基づいて、送信用のファイルが作成される。‥‥‥【０１３３】情報の送信の指示が行なわれると、作成された送信用のファイルをネットワーク５を介してホストコンピュータ６に送信する。」と記載されていることから、引用例１には、メモリカード２に書込まれた情報をＰＣ３に読込ませると、「ＰＣ３は、読込まれた情報に基づいて、送信用のファイルを作成し、作成された送信用のファイルをネットワーク５を介してホストコンピュータ６に送信する」ことが記載されているということができる。
ｃ　そして、「送信用ファイル」について、「【０１３６】‥‥‥送信用のファイルは、端末／カード認識番号‥‥‥と、‥‥‥利用者ＩＤ、およびパスワード‥‥‥と、‥‥‥最高血圧、最低血圧、‥‥‥等の測定結果に関する情報を含む。【０１３７】端末／カード認識番号は、血圧計１‥‥‥を特定するための番号であり、‥‥‥」との記載から、引用例１には、「血圧計１を特定するための端末／カード認識番号と、ＩＤおよびパスワードと、最高血圧、最低血圧を含む、送信用のファイル」が記載されているということができる。
ｄ　したがって、上記ａ、ｂ、ｃから、引用例１には、「血圧計１を用いて測定したユーザの血圧値の情報は、メモリカード２を介してＰＣ３に読込まれると、ＰＣ３は、読込まれた情報に基づいて、血圧計１を特定するための端末／カード認識番号と、ＩＤおよびパスワードと、最高血圧、最低血圧を含む、送信用のファイルを作成し、作成された送信用のファイルはネットワーク５を介してホストコンピュータ６に蓄積され」ることが記載されているということができる。
　
ウ　引用例１の「【０１０５】‥‥‥ホストコンピュータ６は、‥‥‥血圧計１から送信されるユーザの血圧値情報を蓄積する記憶部６３とを含む。」との記載から、「ユーザの血圧値の情報」は、「ホストコンピュータ６の記憶部６３に蓄積される」ということができる。
　
エ　引用例１の「【００７６】ユーザは、血圧計１を用いて血圧値の測定を行なう。‥‥‥血圧計１で得られた血圧値の情報は、ＰＣ３からネットワーク５を介して、ホストコンピュータ６に送信され蓄積される。医師‥‥‥は、ドクター用ＰＣ７を用いてホストコンピュータ６よりユーザの血圧値の情報を得、診断‥‥‥を行なう。」との記載、及び「【０１４６】‥‥‥ドクター用ＰＣ７における処理を示す‥‥‥【０１４７】‥‥‥患者のファイルの閲覧を行なう場合、‥‥‥ファイルの閲覧を行なう医師は、‥‥‥【０１４８】‥‥‥【０１４９】‥‥‥患者のカルテ番号を入力する‥‥‥入力された患者のカルテ番号はホストコンピュータ６に送信され、‥‥‥【０１５０】該当する患者のファイルがホストコンピュータ６の記憶部６３から抽出されると‥‥‥、当該ファイルはドクター用ＰＣ７に送信され、‥‥‥。【０１５１】医師は‥‥‥診断結果‥‥‥を入力する‥‥‥【０１５２】‥‥‥」との記載から、カルテ番号を医師が入力することにより、該当する患者のファイルがホストコンピュータ６の記憶部６３から抽出されるものであるから、「ホストコンピュータ６の記憶部６３」には、複数の患者のファイルが記憶されているといえ、「ユーザの血圧値の情報」は、「複数の患者の血圧値の情報」と捉えることができる。
　
オ　引用例１の「【０１４６】‥‥‥ドクター用ＰＣ７における処理を示す‥‥‥【０１４７】‥‥‥患者のファイルの閲覧を行なう場合、‥‥‥ファイルの閲覧を行なう医師は、‥‥‥【０１４８】‥‥‥【０１４９】‥‥‥患者のカルテ番号を入力する‥‥‥入力された患者のカルテ番号はホストコンピュータ６に送信され、‥‥‥【０１５０】該当する患者のファイルがホストコンピュータ６の記憶部６３から抽出されると‥‥‥、当該ファイルはドクター用ＰＣ７に送信され、‥‥‥。【０１５１】医師は‥‥‥診断結果‥‥‥を入力する‥‥‥【０１５２】‥‥‥入力が終了すると、新たに入力された情報がファイルに追記され、更新される‥‥‥更新されたファイルは、ホストコンピュータ６に‥‥‥記憶される。」との記載から、引用例１には、「ホストコンピュータ６の記憶部６３に蓄積された患者のファイルは、ドクター用ＰＣ７に送信されて、診断結果が入力され、ファイルが更新されて、ネットワーク５を介してホストコンピュータ６に記憶され」ることが記載されているということができる。
　
カ　引用例１の「【０１５５】‥‥‥ＰＣ３における情報の閲覧処理の説明を行なう。‥‥‥【０１５６】‥‥‥ユーザのＩＤおよびパスワードを入力するための画面が‥‥‥表示される。ここで入力するＩＤおよびパスワードは、‥‥‥送信用のファイルに記載される利用者ＩＤおよびパスワードと同様の情報である。【０１５７】‥‥‥入力されたＩＤおよびパスワードは、‥‥‥ネットワーク５を介してホストコンピュータ６に送信され、ホストコンピュータ６‥‥‥で照会されてもよい。ＩＤおよびパスワードが照合されると、ＩＤに基づいて、当該ユーザのファイルがホストコンピュータ６の記憶部６３より抽出される。抽出されたファイルより、‥‥‥診断結果‥‥‥が読出され、ＰＣ３の表示部３４に表示される‥‥‥。」との記載から、「ＰＣ３における情報の閲覧」は、診断結果の閲覧であるということができ、また、診断結果がネットワーク５を介してＰＣ３に表示されることは明らかであるから、引用例１には、「ＰＣ３において、送信用のファイルに記載されるＩＤおよびパスワードを入力し、ホストコンピュータ６でＩＤおよびパスワードが照合されると、当該患者のファイルがホストコンピュータ６の記憶部６３から抽出され、抽出されたファイルより診断結果が読出され、ネットワーク５を介してＰＣ３に表示される」ことが記載されているということができる。　
　
　
　上記引用例１に記載された事項、図面の記載、及び上記アないしカを総合すると、引用例１には、次の発明が記載されている（以下「引用発明」という。）。  
　
　「血圧値を測定し管理する生体情報測定システムであって、
　血圧計１を用いて測定した複数の患者の血圧値の情報は、メモリカード２を介してＰＣ３に読込まれると、ＰＣ３は、読込まれた情報に基づいて、血圧計１を特定するための端末／カード認識番号と、ＩＤおよびパスワードと、最高血圧、最低血圧を含む、送信用のファイルを作成し、作成された送信用のファイルはネットワーク５を介してホストコンピュータ６の記憶部６３に蓄積され、
　ホストコンピュータ６の記憶部６３に蓄積された患者のファイルは、ドクター用ＰＣ７に送信されて、診断結果が入力され、ファイルが更新されて、ネットワーク５を介してホストコンピュータ６に記憶され、
　ＰＣ３において、送信用のファイルに記載されるＩＤおよびパスワードを入力し、ホストコンピュータ６でＩＤおよびパスワードが照合されると、当該患者のファイルがホストコンピュータ６の記憶部６３から抽出され、抽出されたファイルより診断結果が読出され、ネットワーク５を介してＰＣ３に表示される、
生体情報測定システム。」
　
　
（２）原査定の拒絶の理由に引用された、本願の優先権主張の日前に頒布された刊行物である特表２００４−５３６６３７号公報（平成１６年１２月９日公表、以下「引用例２」という。）には、図面とともに以下の事項が記載されている（なお、下線は当審で付した。）。  　
　
「【００１３】
例示的な
サーバ側計算装置１１０のプロセッサ
プロセッサ１１２はサーバ側計算装置１１０の一般的な動作を制御する。詳細には、
プロセッサ１１２は、
クライアント側計算装置１２０を介して医療機器１３０から測定データを検索し、医療機器から検索された測定データを永久記録保存し、医療機器から受信された測定データを処理し、および／またはクライアント側計算装置１２０に処理済みの測定データを提供するようにサーバ側計算装置１１０を構成するために使用できる。
　
「【００２９】
図示されているように、
システム１００はさらに医療機器１３０を含んでいる。
医療機器１３０は、通常、１つまたは複数の生物学的／生理学的な状態を監視し、
クライアント側計算装置１２０と通信するために使用できる。
医療機器１３０は、
血圧
の測定値を得るために実現できるであろう。
　
「【００４６】
患者データ２０８は、通常、システム１００によって監視されている患者から収集される生物学的および／または生理学的なデータを含んでいる。さらに、
患者データ２０８は、指定された患者のアイデンティティを検証するため、および
サーバ側計算装置１１０によって収集される事前の生物学的／生理学的なデータと指定される患者を相関付けるために使用され得る患者識別情報
および認証情報（
医療機器製造番号
）を含んでよい。
　
「【００６０】
サーバ側計算装置１１０は、
クライアント側計算装置１２０
を認証しようと試みる。
サーバ側計算装置１１０は、ユーザが過去に収集された
生物学的／生理学的なデータが非公開に保たれていることを確実にできるようにするために、多様な認証方式を介してユーザ側、クライアント側計算装置１２０
を認証しようと試みる。
たとえば認証は、
医療機器１３０の製造番号
などに基づいてよい。
　
　上記の記載から、引用例２には、次の事項が記載されているということができる。
　
　医療機器から得られる血圧の測定値を、クライアント側計算装置を介して保存し、また、クライアント側計算装置に処理済みの測定データを提供するサーバ側計算装置において（段落【００１３】、段落【００２９】）、指定された患者のアイデンティティを検証したり（段落【００４６】）、生物学的／生理学的なデータ（血圧の測定値）が非公開に保たれていることを確実にできるようにしたりするために、医療機器１３０の製造番号に基づいてクライアント側計算装置を認証する（段落【００６０】）技術。
　
　
（３）原査定の拒絶の理由に引用された、本願の優先権主張の日前に頒布された刊行物である特開２００２−１４９８３１号公報（平成１４年５月２４日公開、以下「引用例３」という。）には、図面とともに以下の事項が記載されている（なお、下線は当審で付した。）。
　
「【００４７】
情報処理装置３は、健康管理用通信装置１から送信されたデータ（健康状態情報）を、
取り込む。更に、このデータに含まれる患者識別情報から、
取り込んだデータをこの個人ファイルに記憶する。
【００４８】また、
情報処理装置３は、健康管理用通信装置１から受け取ったデータを記憶すると共に、このデータを用いて、患者１００の健康状態の評価を行う。
　
「【００５３】
情報処理装置３は、
血圧データ
を受信する
そして、これらのデータを用いて、
健康状態評価処理
を行う
【００５４】また、
情報処理装置３には、患者１００への課金を表す患者課金データが、患者１００の患者識別データに対応付けられて、ハードディスク装置３４に記憶してある。
この課金は、
患者１００が健康状態の評価を１回受けるために必要な使用料金に、１月中に評価を受けた回数を乗じた料金からなっている。
　
「【００８０】
次に、健康状態評価処理について説明する。
図１９は、健康状態評価処理の処理手順を示すフローチャートである。
【００８１】続いて、脈波データの極大値を計数することにより、１分間の脈拍数Ｐを算出し（ステップ１６０６）、この脈拍数Ｐが、Ｐ＜Ｐｓ−１０を満たすか否かを判別する（ステップ１６０７）。‥‥‥（略）‥‥‥
【００８２】
そして、血圧データから得られる患者１００の収縮期血圧Ｐ１が、Ｐ１＜１００を満たすか否かを判別し（ステップ１６１２）、これを満たす場合は、血圧が低いと判断し、「血圧が低いです。睡眠と栄養を十分にとってください」という内容を表すデータを評価結果に追加して
リターンする。ステップ１６１２の条件を満たさない場合は、１００≦Ｐ１≦１４０を満たし、かつ、血圧データから得られる拡張期血圧Ｐ２が、Ｐ２＜９０を満たすか否かを判別し（ステップ１６１４）、この条件を満たす場合は、正常な血圧であると判断し、「血圧は正常です。」という内容を表すデータを評価結果に追加して
、リターンする。ステップ１６１４の条件を満たさない場合には、血圧が高いと判断し、「血圧が高いです。お医者さんに相談してください。」という内容を表すデータを評価結果に追加して（ステップ１６１６）、リターンする。
　
　上記の記載から、引用例３には、次の事項が記載されているということができる。
　
Ａ　健康管理用通信装置１から送信されたデータ（健康状態情報）を個人ファイルに記憶し、このデータを用いて、患者の健康状態の評価を行う情報処理装置３において（段落【００４７】、段落【００４８】）、情報処理装置３は、受信した血圧データを用いて（段落【００５３】）、「血圧が低い」、「血圧は正常です」、「血圧が高い」のいずれかを判断して、健康状態評価処理を行う（段落【００８０】、段落【００８２】）技術。
　
Ｂ　健康管理用通信装置１から送信されたデータ（健康状態情報）を個人ファイルに記憶し、このデータを用いて、患者の健康状態の評価を行う情報処理装置３において（段落【００４７】、段落【００４８】）、情報処理装置３には、患者１００への課金を表す患者課金データが、患者１００の患者識別データに対応付けられて、ハードディスク装置３４に記憶され、この課金は、患者１００が健康状態の評価を１回受けるために必要な使用料金に、１月中に評価を受けた回数を乗じた料金とする（段落【００５４】）技術。
　
　
（４）原査定の拒絶の理由に引用された、本願の優先権主張の日前に頒布された刊行物である特開２００５−１０７９１９号公報（平成１７年４月２１日公開、以下「引用例４」という。）には、図面とともに以下の事項が記載されている（なお、下線は当審で付した。）。
　
「【００９１】
  そして、患者用の専用端末２０に支払い要求がされると患者は、Ｓ４５７で患者用ＩＣカードを入れて課金処理を行う。
【００９２】
  Ｓ４５８で残高などを確認し、正しく課金されたかを判断し、正しく課金されない場合はＳ４５７に戻り、正しく課金された場合は、Ｓ４５９でメニュー画面に戻り、同時に、Ｓ４７２で管理会社７０に連絡が行き、
患者用ＩＣカードから残高
を確認の上、購入価格分の金額をＩＣカードから差し引いて課金処理を行う。
　
　上記の記載から、引用例４には、次の事項が記載されているということができる。
　
　患者用ＩＣカードから残高を確認の上、購入価格分の金額をＩＣカードから差し引いて課金処理を行う技術（段落【００９２】）。
　
　
（５）原査定において周知例として引用された、本願の優先権主張の日前に頒布された刊行物である特開２００１−１０４２５４号公報（平成１３年４月１７日公開、以下「周知例１」という。）には、図面とともに以下の事項が記載されている（なお、下線は当審で付した。）。
　
　「【００３０】以上のような体内栄養代謝動態測定装置において、被測定者の入力データ、測定データ、演算結果等のデータは、ＲＡＭ１４に記憶されるのみであるが、容量の大きい記録媒体を本体に設置し、ＲＡＭ１４に記憶されるデータを前記記録媒体に転送して半永久的に保存することができるようにし、
被測定者の過去からのデータを集計できる
ＲＡＭ１４や記録媒体を被測定者毎のエリアに分割して複数の被測定者のデータを管理する
　
（６）原査定において周知例として引用された、本願の優先権主張の日前に頒布された刊行物である特開平９−２３７３０４号公報（平成９年９月９日公開、以下「周知例２」という。）には、図面とともに以下の事項が記載されている（なお、下線は当審で付した。）。
　
「【００３２】図４はこの発明の実施の形態による記録媒体の記憶領域を患者ごとに設ける場合の概念図である。図５はこの発明の実施の形態による患者ごとに独立した記録媒体を設ける場合の概念図である。図４に示されるように
記憶媒体１の領域をレコード特定情報Ｋ３の患者コードに基づいて患者ごとに区分けし、各領域に患者ごとのレコード２を独立に記憶する。
　
　
３　対比  
　
　本願発明と引用発明とを対比する。  
　
（Ａ）引用発明は、「血圧値を測定し管理する生体情報測定システムであって、血圧計１を用いて測定した複数の患者の血圧値の情報は、メモリカード２を介してＰＣ３に読込まれると、ＰＣ３は、読込まれた情報に基づいて、血圧計１を特定するための端末／カード認識番号と、ＩＤおよびパスワードと、最高血圧、最低血圧を含む、送信用のファイルを作成し、作成された送信用のファイルはネットワーク５を介してホストコンピュータ６の記憶部６３に蓄積され、ホストコンピュータ６の記憶部６３に蓄積された患者のファイルは、ドクター用ＰＣ７に送信されて、診断結果が入力され、ファイルが更新されて、ネットワーク５を介してホストコンピュータ６に記憶され」るものであるから、複数の患者の血液値を処理するためのシステムと捉えることができ、本願発明と引用発明とは、「血圧計を用いて取得した、複数の患者についての血圧データを処理するためのシステム」である点で共通する。
　
（Ｂ）引用発明は、「血圧計１を用いて測定した複数の患者の血圧値の情報は、メモリカード２を介してＰＣ３に読込まれると、ＰＣ３は、読込まれた情報に基づいて、」「最高血圧、最低血圧を含む、送信用のファイルを作成し、作成された送信用のファイルはネットワーク５を介してホストコンピュータ６の記憶部６３に蓄積され」るものであり、また、「当該患者のファイルがホストコンピュータ６の記憶部６３から抽出され、抽出されたファイルより診断結果が読出されてＰＣ３に表示される」ものであって、ホストコンピュータ６は、ＰＣ３から血圧値の情報を収集し、また、診断結果をＰＣ３に送信するものといえ、ＰＣ３からみて「中央データサーバ」としての機能を有するものと捉えることができから、本願発明と引用発明とは、「各患者の血圧データが記憶される中央データサーバ」を備える点で共通する。
　
（Ｃ）引用発明は、「最高血圧、最低血圧を含む、送信用のファイルを作成し、作成された送信用のファイルは、ネットワーク５を介して、ホストコンピュータ６の記憶部６３に蓄積され」るものであって、最高血圧、最低血圧がホストコンピュータ６の記憶部６３に蓄積されるものであるから、本願発明と引用発明とは、「当該中央データサーバに設けられ、各患者の血圧データのための記憶領域」を備える点で共通する。
　
（Ｄ）引用発明は、「作成された送信用のファイルはネットワーク５を介してホストコンピュータ６の記憶部６３に蓄積され」るものであり、また、「当該患者のファイルがホストコンピュータ６の記憶部６３から抽出され、抽出されたファイルより診断結果が読出され、ネットワーク５を介してＰＣ３に表示される」ものであるから、ネットワーク５は、送信用ファイルをホストコンピュータ６の記憶部６３に蓄積するためのものであるとともに、診断結果を記憶部６３からＰＣ３に送信するためのものであるといえ、本願発明と引用発明とは、「当該記憶領域にデータを入力するとともに、当該記憶領域からデータを読み出すネットワーク接続」を備える点で共通する。
　
（Ｅ)引用発明は、「血圧計１を用いて測定した複数の患者の血圧値の情報は、メモリカード２を介してＰＣ３に読込まれると、ＰＣ３は、読込まれた情報に基づいて、血圧計１を特定するための端末／カード認識番号と、ＩＤおよびパスワードと、最高血圧、最低血圧を含む、送信用のファイルを作成」するものであって、「血圧計１を特定するための端末／カード認識番号」は、「血圧計のための固有のデバイス識別コード」ということができるから、本願発明と引用発明とは、「患者の血圧データを取得する血圧計のための固有のデバイス識別コードを有」する点で共通する。
　
（Ｆ）引用発明は、「ＰＣ３において、送信用のファイルに記載されるＩＤおよびパスワードを入力し、ホストコンピュータ６でＩＤおよびパスワードが照合されると、当該患者のファイルがホストコンピュータ６の記憶部６３から抽出され、抽出されたファイルより診断結果が読出され、ネットワーク５を介してＰＣ３に表示される」ものであって、「ホストコンピュータ６の記憶部６３」へのアクセスが、ＰＣ３から入力されるＩＤおよびパスワード、すなわち、端末から入力されるアクセスコードによってなされ、その照合において、比較対象となるアクセスコードを有するのは明らかであって、その照合により、「ホストコンピュータ６の記憶部６３」へのアクセスが可能となるものであるから、記憶部６３に対応した固有のアクセスコードであるということができ、本願発明と引用発明とは、「アクセスが試みられた場合に端末から転送されるアクセスコードと、当該記憶領域に対応した固有のアクセスコードとを比較することにより、当該記憶領域へのアクセスを制御することのできるアクセス制御装置」を備える点で共通する。
　
（Ｇ）引用発明は、「ホストコンピュータ６の記憶部６３に蓄積された患者のファイルは、ドクター用ＰＣ７に送信されて、診断結果が入力され、ファイルが更新されて、ネットワーク５を介してホストコンピュータ６に記憶され」るものであって、診断結果は、例えば、最高血圧、最低血圧等の血圧値を評価することと捉えることができるから、本願発明と引用発明とは、「前記記憶領域に記憶された血圧データセットを評価すること」を備える点で共通する。
　
　
　すると、本願発明と引用発明とは、次の＜一致点＞及び＜相違点＞を有する。  
　
＜一致点＞  
「血圧計を用いて取得した、複数の患者についての血圧データを処理するためのシステムであって、
　各患者の血圧データが記憶される中央データサーバと、
　当該中央データサーバに設けられ、各患者の血圧データのための記憶領域と、
　当該記憶領域にデータを入力するとともに、当該記憶領域からデータを読み出すネットワーク接続と、
　患者の血圧データを取得する血圧計のための固有のデバイス識別コードを有し、アクセスが試みられた場合に端末から転送されるアクセスコードと、当該記憶領域に対応した固有のアクセスコードとを比較することにより、当該記憶領域へのアクセスを制御することのできるアクセス制御装置と、
　前記記憶領域に記憶された血圧データセットを評価することと、
　を備えるシステム。」
　
　
＜相違点＞  
　
（ア）本願発明が、各患者の血圧データが「別々に」記憶されるものであり、記憶領域が「個別」記憶領域であるのに対し、引用発明は、このような特定がない点。
　
（イ）患者の血圧データを取得する血圧計のための固有のデバイス識別コードについて、本願発明が、「当該個別記憶領域に対応」するものであるのに対し、引用発明は、このような特定がない点。　
　
（ウ）血圧データセットを評価することについて、本願発明が、血圧データセットを評価することのできる「評価ユニット」を備えるのに対し、引用発明は、診断結果が入力される点。
　
（エ）本願発明が、「前記個別記憶領域に対応する料金記憶装置」を備えるのに対し、引用発明は、このような特定がない点。
　
（オ）本願発明が、「当該評価ユニットにアクセスが試みられた場合、及び、当該評価ユニットにより評価が準備された場合のうち少なくとも１つの場合に、前記料金記憶装置の残高を減少させる料金課金装置」を備えるのに対し、引用発明は、このような特定がない点。
　
　
４　判断  
　
＜相違点＞（ア）について  
　一般に、被測定者毎にデータを「別々に」記憶し、記憶領域を「個別記憶領域」とすることは、周知技術であって（周知例１（上記２（５））、周知例２（上記２（６）））、引用発明において、前記周知技術を用いて、各患者の血圧データを「別々に」記憶し、記憶領域を「個別記憶領域」とすることは、当業者が適宜なし得る事項である。
　
　よって、本願発明の＜相違点＞（ア）に係る構成のようにすることは、格別なことではない。
　　
＜相違点＞（イ）について
　引用例２には、医療機器から得られる血圧の測定値を、クライアント側計算装置を介して保存し、また、クライアント側計算装置に処理済みの測定データを提供するサーバ側計算装置において、指定された患者のアイデンティティを検証したり、生物学的／生理学的なデータ（血圧の測定値（測定データ））が非公開に保たれていることを確実にできるようにしたりするために、医療機器１３０の製造番号に基づいてクライアント側計算装置を認証する技術が記載されており（上記２（２））、引用発明のホストコンピュータ６の記憶部６３に蓄積される血圧値の情報（最高血圧、最低血圧）についても、患者の同一性や、機密性を保つために、引用例２に記載の技術を用いて、各患者の血圧データが「別々に」記憶された「個別記憶領域」に、血圧計の製造番号を対応させるようにすることは、当業者が適宜なし得る事項である。
　
　よって、本願発明の＜相違点＞（イ）に係る構成のようにすることは、格別なことではない。
　
＜相違点＞（ウ）について
　引用例３には、健康管理用通信装置１から送信されたデータ（健康状態情報）を個人ファイルに記憶し、このデータを用いて、患者の健康状態の評価を行う情報処理装置３において、情報処理装置３は、受信した血圧データを用いて、「血圧が低い」、「血圧は正常です」、「血圧が高い」のいずれかを判断して、健康状態評価処理を行う技術が記載されており（上記２（３）Ａ）、引用発明の「システム」において、医師が診断結果を入力することに代えて、引用発明の「ホストコンピュータ」に、引用例３に記載された前記技術を用いて、「血圧データセットを評価することのできる評価」に関する制御フローを設けることに格別の困難性を有しない。　
　
　よって、本願発明の＜相違点＞（ウ）に係る構成のようにすることは、格別なことではない。
　
＜相違点＞（エ）について
　引用例３には、健康管理用通信装置１から送信されたデータ（健康状態情報）を個人ファイルに記憶し、このデータを用いて、患者の健康状態の評価を行う情報処理装置３において、情報処理装置３には、患者１００への課金を表す患者課金データが、患者１００の患者識別データに対応付けられて、ハードディスク装置３４に記憶され、この課金は、患者１００が健康状態の評価を１回受けるために必要な使用料金に、１月中に評価を受けた回数を乗じた料金とする技術が記載されており（上記２（３）Ｂ）、患者１００への課金を表す患者課金データが、患者１００の患者識別データに対応付けられて、ハードディスク装置３４に記憶されていることから、引用発明において、患者毎の「個別記憶領域」に対応して、料金記憶装置を設けることは、当業者が適宜なし得る事項である。
　
　よって、本願発明の＜相違点＞（エ）に係る構成のようにすることは、格別なことではない。
　
＜相違点＞（オ）について
　引用例３には、健康管理用通信装置１から送信されたデータ（健康状態情報）を個人ファイルに記憶し、このデータを用いて、患者の健康状態の評価を行う情報処理装置３において、情報処理装置３には、患者１００への課金を表す患者課金データが、患者１００の患者識別データに対応付けられて、ハードディスク装置３４に記憶され、この課金は、患者１００が健康状態の評価を１回受けるために必要な使用料金に、１月中に評価を受けた回数を乗じた料金とする技術が記載されており（上記２（３）Ｂ）、健康状態の評価を受ける毎に課金されるものであり、また、一般に、後払い方式にて課金を行うこと、先払い方式にて課金を行うことはいずれも周知技術であるから（先払い方式については、引用例４参照（上記２（４）））、引用発明において、料金課金装置を用いる際に、先払い方式を採用して、「当該評価ユニットにアクセスが試みられた場合、」「前記料金記憶装置の残高を減少させる料金課金装置」を設けることは、当業者が容易になし得る事項である。
　
　よって、本願発明の＜相違点＞（オ）に係る構成のようにすることは、格別なことではない。
　
　そして、上記相違点を総合的に判断しても、本願発明が奏する効果は引用発明及び周知技術から当業者が十分に予測できたものであって格別なものとはいえない。
　
　よって、本願発明は、引用発明及び周知技術に基づいて、当業者が容易に発明をすることができたものである。
　
　
５　むすび
　以上のとおり、本願発明は、特許法第２９条第２項の規定により特許を受けることができないものであるから、その余の請求項に論及するまでもなく、本願は拒絶すべきものである。  
　
　よって、結論のとおり審決する。